(57)【要約】  【課題】  マトリックス状に配置された画素回路に対する複数回の測定結果を用いて、統計的な手法によって検査を行い、要因別特徴を加味した精度の高い測定結果を得る。  【解決手段】  ＯＬＥＤ形成前のアクティブマトリックスパネルの特性を検査するためのアクティブマトリックスパネルの検査装置であって、少なくとも表面が導電性材料からなり、アクティブマトリックスパネルに形成される画素電極に回転しながら順次当接するローラ状コンタクトプローブ１８と、このローラ状コンタクトプローブ１８が画素電極に接触しているＴＦＴアレイに対して測定に必要な電圧を印加するプローブ制御回路１９と、電圧が印加されたＴＦＴアレイを流れる電流を測定し、測定結果を統計的に処理する計算機１２を備えた。  【選択図】  図１
2005134421.tif 000002
【特許請求の範囲】
【請求項１】
ＯＬＥＤ(Organic Light Emitting Diode)形成前のアクティブマトリックスパネルの特性を検査するためのアクティブマトリックスパネルの検査装置であって、
少なくとも表面が導電性材料からなり、前記アクティブマトリックスパネルに形成される画素電極に回転しながら順次当接する回転体プローブと、
前記回転体プローブが画素電極に接触しているＴＦＴアレイに対して測定に必要な電圧を印加することができる電圧印加手段と、
前記電圧印加手段により電圧が印加されたＴＦＴアレイを流れる電流を測定する電流測定手段とを含むアクティブマトリックスパネルの検査装置。
【請求項２】
前記電流測定手段により順次測定される測定結果を統計的に処理する処理手段を更に備えたことを特徴とする請求項１記載のアクティブマトリックスパネルの検査装置。
【請求項３】
前記処理手段は、前記電流測定手段によるＴＦＴアレイ毎の測定回数を記録することを特徴とする請求項２記載のアクティブマトリックスパネルの検査装置。
【請求項４】
前記回転体プローブは、ローラ状で構成され、表面に凹凸を有することを特徴とする請求項１記載のアクティブマトリックスパネルの検査装置。
【請求項５】
前記回転体プローブの前記凹凸は、角形、球形、および溝形の少なくとも何れか１つの形状であることを特徴とする請求項４記載のアクティブマトリックスパネルの検査装置。
【請求項６】
前記回転体プローブは、ローラ状で構成され、同時に複数ラインの画素電極に対して接触可能に構成されることを特徴とする請求項１記載のアクティブマトリックスパネルの検査装置。
【請求項７】
ＯＬＥＤ(Organic Light Emitting Diode)形成前のアクティブマトリックスパネルを検査するアクティブマトリックスパネルの検査方法であって、
電気的に電源またはＧＮＤとして働くように制御された回転体プローブを回動させて、前記アクティブマトリックスパネルにおける測定対象画素の画素電極に当該回転体プローブを順次、当接させるステップと、
前記アクティブマトリックスパネルにおけるラインを選択するためのセレクト線をスキャンするステップと、
前記セレクト線のスキャンに同期してデータ線に測定電圧を印加するステップと、
前記測定電圧が印加された前記測定対象画素の駆動ＴＦＴ(Thin Film Transistor)を流れる電流を観測するステップと、を含むアクティブマトリックスパネルの検査方法。
【請求項８】
前記電流を観測するステップは、１つの前記測定対象画素に対して複数回の測定値を得ることを特徴とする請求項７記載のアクティブマトリックスパネルの検査方法。
【請求項９】
前記電流を観測するステップにより観測された測定回数をマップ化するステップと、
マップ化された測定結果を用いて前記アクティブマトリックスパネルを構成する画素回路の異常、および/または前記回転体プローブの異常を確認するステップとを更に含む請求項８記載のアクティブマトリックスパネルの検査方法。
【請求項１０】
前記電流を観測するステップによる電流の観測から、前記回転体プローブの形状に依存する周期的な状態を検出することによって、当該回転体プローブの異常を検出するステップを更に含む請求項７記載のアクティブマトリックスパネルの検査方法。
【請求項１１】
ＯＬＥＤ(Organic Light Emitting Diode)形成前のアクティブマトリックスパネルを検査するアクティブマトリックスパネルの検査方法であって、
前記アクティブマトリックスパネルにおける測定対象画素の画素電極にプローブを順次、当接させるステップと、
前記プローブが当接した前記測定対象画素について、当該測定対象画素を流れる電流に対する複数回の測定結果を得るステップと、
得られた前記複数回の測定結果から異常を検出するステップと、
測定結果を統計的に処理し、検出された異常が前記測定対象画素の欠陥によるものか、前記プローブの欠陥によるものか、を判断するステップとを含むアクティブマトリックスパネルの検査方法。
【請求項１２】
前記判断するステップは、測定回数がラインとカラムでマトリックス化された測定回数マップを出力し、検出された異常が、当該測定回数マップにより前記プローブの形状に依存した周期的な異常である場合に、当該プローブの異常と判断することを特徴とする請求項１１記載のアクティブマトリックスパネルの検査方法。
【請求項１３】
基板上にＴＦＴ(Thin Film Transistor)アレイを形成してアクティブマトリックスパネルを生成するアレイ工程と、
生成された前記アクティブマトリックスパネルの機能検査を行う検査工程と、
前記検査工程により良品と判断されたアクティブマトリックスパネルに対してＯＬＥＤ(Organic Light Emitting Diode)を実装するセル工程とを含み、
前記検査工程は、導電性材料からなる回転体プローブを回動させて前記アクティブマトリックスパネルにおける測定対象画素の画素電極に当該回転体プローブを順次、当接させ、当該アクティブマトリックスパネルを構成する測定対象画素を流れる電流を観測することにより機能検査を行うことを特徴とするアクティブマトリックスＯＬＥＤパネルの製造方法。
【請求項１４】
前記検査工程は、前記アクティブマトリックスパネルを構成する前記測定対象画素の測定結果を画素毎に記録し、記録された当該測定回数に基づいて前記回転体プローブの性能を確認しながら当該測定対象画素の検査を行うことを特徴とする請求項１３記載のアクティブマトリックスＯＬＥＤパネルの製造方法。
【発明の詳細な説明】
【技術分野】
【０００１】
本発明は、有機ＥＬや無機ＥＬ等に用いられるアクティブマトリックスパネルの検査装置等に係り、より詳しくは、画素電極にプローブを接触させて検査を行う検査装置等に関する。
【背景技術】
【０００２】
表示パネルの中で、有機ＥＬ(Electro Luminescence)や無機ＥＬを用いたＥＬパネルが近年、非常に注目されている。ＥＬ素子は、通電することで材料自体が発光する化学物質であり、化学構造を異ならせることで、異なった発光色を得ることができ、表示パネルへの利用研究が進められている。その中で、有機ＥＬ(以下、ＯＬＥＤ(Organic Light Emitting Diode)と呼ぶ)は、電場を加えることによって励起する蛍光性の有機化合物に直流電流を流して発光させるものであり、薄型、高視野角、広いガミュート(Gamut)等の点から次世代ディスプレイデバイスとして注目されている。このＯＬＥＤの駆動方式にはパッシブ型とアクティブ型が存在するが、大画面、高精細のディスプレイを実現するには、材料、寿命、クロストークの面でアクティブ型が適している。このアクティブ型では、一般に、ＴＦＴ(Thin Film Transistor)駆動方式が採用されている。
【０００３】
ここで、アクティブマトリックスＯＬＥＤ(ＡＭＯＬＥＤ)とアクティブマトリックス液晶ディスプレイ(ＡＭＬＣＤ)とを比較して説明する。図２１(ａ),(ｂ)は、ＡＭＯＬＥＤとＡＭＬＣＤとの画素回路を比較説明するための図である。図２１(ａ)はＡＭＯＬＥＤの画素回路、図２１(ｂ)はＡＭＬＣＤの画素回路を示している。図２１(ｂ)において、データ線(Data)とゲート線(Gate)とに接続されたＴＦＴ３１０によってＴＦＴアレイの画素回路が形成される。一方、図２１(ａ)に示すＡＭＯＬＥＤでは、図２１(ｂ)に示すものと同様な回路の画素容量の横に、オープン・ドレインのドライブ駆動用トランジスタである駆動ＴＦＴ３０２が接続され、発光素子であるＯＬＥＤ３０１が駆動ＴＦＴ３０２に接続されている。図２１(ｂ)に示すＡＭＬＣＤは、ＴＦＴ３１０に電圧を発生させるだけで階調を変えることができる。一方、ＡＭＯＬＥＤでは、駆動ＴＦＴ３０２に所定の電圧をかけた場合に、流れる電流の値に応じてＯＬＥＤ３０１の輝度が変わる。この駆動ＴＦＴ３０２の閾値電圧Ｖth(threshold voltage)は、プロセスを調整したとしてもばらつきが生じるおそれがある。ばらつきがある場合には、同じ電圧をかけた場合でも、流れる電流が変わってくるので、輝度ムラが生じる。そこで、ＡＭＯＬＥＤパネル用ＴＦＴアレイの機能検査では、配線の切断(オープン)/短絡(ショート)検査に加えてＯＬＥＤ３０１を駆動する駆動ＴＦＴ３０２の特性がパネル全体で均一であることの検査が重要となる。この検査とは、駆動ＴＦＴ３０２の補正回路が機能し、パネル上の駆動ＴＦＴ３０２のＶthが揃っていることを確認することである。
【０００４】
ここで、現状のＡＭＯＬＥＤパネルの製造コストを削減するためには、ＴＦＴアレイ単体での機能テストを行い、良品だけをＯＬＥＤ形成工程等の次工程に流すことが要求される。ＡＭＯＬＥＤパネルの製造では、現状のＡＭＯＬＥＤ用ＴＦＴアレイの歩留まりが十分に高くないこと、ＯＬＥＤ３０１の材料自体が高価であること、製造工程の中でＯＬＥＤ３０１の形成プロセスの工程占有時間が長いこと、等の理由により、ＯＬＥＤ３０１を実装する前に、駆動ＴＦＴ３０２のＶthを測定することが望まれる。しかしながら、ＴＦＴアレイ単体では、画素回路の構成要素であるＯＬＥＤが未実装であり、駆動ＴＦＴはオープン・ドレイン状態となっている。即ち、ＯＬＥＤの実装前の工程では、図２１(ａ)の破線で示されるＯＬＥＤ３０１が接続されておらず、正常な回路を構成していない。従って、駆動ＴＦＴ３０２に電流を流すことが基本的に不可能であり、そのままでは、Ｖth補正回路の機能検査などを行うことができなかった。このような駆動ＴＦＴ３０２を検査するためには、オープン状態となっている電極に外部から電圧を印加する手法、または、電極の電位をＧＮＤ(グランド)に落とす手法が必要である。
【０００５】
公報記載の従来技術として、例えば、ＴＦＴアレイを電解質の液体に浸し、電気的導通をとって電圧を印加する検査方法が提案されている(例えば、特許文献１参照。)。また例えば、画素電極をパターニングする前に、検査用導電膜を画素電極上部に形成して検査を行い、検査後に検査用導電膜を除去する検査手法が述べられている(例えば、特許文献２参照。)。更に、技術的な課題解決の点では関連性はないが、表示パネルの配線引き出し部に円筒状の回転型プローブを回転させながら接触させ、電極の電気的特性を検査する技術が存在する(例えば、特許文献３参照。)。
【０００６】
【特許文献１】特開２００２−７２９１８号公報(第４−５頁、図１)
【特許文献２】特開２００２−１０８２４３号公報(第８−９頁、図１)
【特許文献３】特開昭６３−５３７７号公報(第２−３頁、第１図)
【発明の開示】
【発明が解決しようとする課題】
【０００７】
しかしながら、上記特許文献２に記載の技術では、検査用導電膜はＴＦＴアレイ上部に積層されて形成されており、密接に画素電極と接触している。そのために、実際に検査用導電膜をＴＦＴアレイ上部に形成する工程および除去する工程でのＴＦＴアレイへの負荷が大きくなり、画素電極回路表面に対して損傷を与える可能性が高い。また、上記特許文献１に記載の技術では、ＴＦＴアレイを電解液に浸す必要があり、現実的なものとは言い得ない。
【０００８】
また、半導体部品の検査に際して電気的接触をとる装置として、プローブ装置(プローバー)が用いられるが、このプローブ装置は、金属の細い針あるいは導電性ゴムなどの針で検査のための電極パッドに接触させる装置である。従来のプローブ装置におけるプローブヘッドとしては、例えば、モールディングにより異方性導電樹脂を一体成型したコンタクトプローブなどが提案されており、例えば、上下のコンタクト用突起の間のみ電気的導通を図るものが存在する。また半導体部品検査では、数十から数百の電極に対して接触をとれば良いことから、バネの弾性やゴムの弾性あるいは金属針の張力、更には周囲の雰囲気の圧力による加圧で確実に接触をとることが可能になっている。しかしながら、ＡＭＯＬＥＤパネルの場合、マトリックス状に並んだ１０万以上の電極に対して接触をとる必要があるため、すべてのプローブについて、均一の圧力をかけることが難しい。また、個々の検査針を独立に制御することにより各画素に加圧する装置も考えられるが、やはり、１０万以上の画素電極に対応した装置を製作するのは非常に困難であり、高価なものとなる。上記特許文献３では、引き出された配線に対してプローブを押し当てる技術が開示されているに留まり、マトリックス状に配置された電極に直接、触れるものではない。そのために、ＯＬＥＤ形成前のＯＬＥＤ用ＴＦＴアレイにおける検査といった課題に対処できるものではなく、これを解決するものとしては利用し得ない。
【０００９】
本発明は、以上のような技術的課題を解決するためになされたものであって、その目的とするところは、マトリックス状に配置された電極に直接接触しながら電気的特性を検査するアクティブマトリックスパネルの検査装置を提供することにある。
また他の目的は、画素電極にプローブを直接接触させた場合であっても、接触不具合による影響を軽減し、また、プローブの接触による画素電極に対する悪影響を軽減することにある。
更に他の目的は、画素電極に回転体プローブを押し当てることで、例えば湾曲しているようなシート状の基板であっても検査を可能とすることにある。
また更に他の目的は、マトリックス状に配置された画素回路に対する複数回の測定結果を用いて、統計的な手法によって検査を行い、要因別特徴を加味した精度の高い測定結果を得ることにある。
【課題を解決するための手段】
【００１０】
かかる目的のもと、本発明は、ＯＬＥＤ形成前のアクティブマトリックスパネルの特性を検査するためのアクティブマトリックスパネルの検査装置であって、少なくとも表面が導電性材料からなり、アクティブマトリックスパネルに形成される画素電極に回転しながら順次当接する回転体プローブと、この回転体プローブが画素電極に接触しているＴＦＴアレイに対して測定に必要な電圧を印加することができる電圧印加手段と、この電圧印加手段により電圧が印加されたＴＦＴアレイを流れる電流を測定する電流測定手段と、電流測定手段により順次測定される測定結果を統計的に処理する処理手段とを含む。
【００１１】
ここで、この処理手段は、電流測定手段によるＴＦＴアレイ毎の測定回数を記録することを特徴とすれば、統計的な処理によって異常原因の判断が容易になる点で好ましい。また、この回転体プローブは、ローラ状で構成され、表面に凹凸を有することを特徴とすれば、パネルの撓み等による接触不良を抑制できる点で優れている。更に、この回転体プローブの凹凸は、角形、球形、および溝形の少なくとも何れか１つの形状であることを特徴とすることができる。また更に、この回転体プローブは、ローラ状で構成され、同時に複数ラインの画素電極に対して接触可能に構成されることを特徴とすることができる。
【００１２】
一方、本発明は、ＯＬＥＤ形成前のアクティブマトリックスパネルを検査するアクティブマトリックスパネルの検査方法であって、電気的に電源またはＧＮＤとして働くように制御された回転体プローブを回動させて、アクティブマトリックスパネルにおける測定対象画素の画素電極にこの回転体プローブを順次、当接させるステップと、アクティブマトリックスパネルにおけるラインを選択するためのセレクト線をスキャンするステップと、セレクト線のスキャンに同期してデータ線に測定電圧を印加するステップと、測定電圧が印加された測定対象画素の駆動ＴＦＴを流れる電流を観測するステップとを含む。
【００１３】
ここで、電流を観測するステップは、１つの測定対象画素に対して複数回の測定値を得ることを特徴としている。
また、電流を観測するステップにより観測された測定回数をマップ化するステップと、マップ化された測定結果を用いてアクティブマトリックスパネルを構成する画素回路の異常、および/または回転体プローブの異常を確認するステップとを更に含むことを特徴とすることができる。
更に、電流を観測するステップによる電流の観測から、回転体プローブの形状に依存する周期的な状態を検出することによって、回転体プローブの異常を検出するステップを更に含むことができる。
【００１４】
他の観点から把えると、本発明が適用されるアクティブマトリックスパネルの検査方法は、アクティブマトリックスパネルにおける測定対象画素の画素電極にプローブを順次、当接させるステップと、プローブが当接した測定対象画素について、この測定対象画素を流れる電流に対する複数回の測定結果を得るステップと、得られた複数回の測定結果から異常を検出するステップと、測定結果を統計的に処理し、検出された異常が測定対象画素の欠陥によるものか、プローブの欠陥によるものか、を判断するステップとを含む。ここで、この判断するステップは、測定回数がラインとカラムでマトリックス化された測定回数マップを出力し、検出された異常が、測定回数マップによりプローブの形状に依存した周期的な異常である場合に、プローブの異常と判断することを特徴とすることができる。
【００１５】
一方、本発明が適用されるアクティブマトリックスＯＬＥＤパネルの製造方法は、基板上にＴＦＴアレイを形成してアクティブマトリックスパネルを生成するアレイ工程と、生成されたアクティブマトリックスパネルの機能検査を行う検査工程と、この検査工程により良品と判断されたアクティブマトリックスパネルに対してＯＬＥＤを実装するセル工程とを含み、検査工程は、導電性材料からなる回転体プローブを回動させてアクティブマトリックスパネルにおける測定対象画素の画素電極に回転体プローブを順次、当接させ、アクティブマトリックスパネルを構成する測定対象画素を流れる電流を観測することにより機能検査を行うことを特徴としている。ここで、この検査工程は、アクティブマトリックスパネルを構成する測定対象画素の測定結果を画素毎に記録し、記録された測定回数に基づいて回転体プローブの性能を確認しながら測定対象画素の検査を行うことを特徴とすることができる。
【発明の効果】
【００１６】
本発明によれば、マトリックス状に配置されたＴＦＴアレイ基板(アクティブマトリックスパネル)に対して、画素電極の不具合を精度良く把握することができる。
【発明を実施するための最良の形態】
【００１７】
以下、添付図面を参照して、本発明の実施の形態について詳細に説明する。
図１は、本実施の形態が適用されるアクティブマトリックスパネル(ＴＦＴアレイ基板)の検査装置としてのテスト装置１０の構成を説明するための図である。テスト装置１０は、記憶装置(Data Base)１１、計算機(PC)１２、測定制御回路(Control Circuits)１３、信号生成・信号測定回路(Drive/sense circuits)１４、プローブ(Data probes)１５、信号生成・信号測定回路(Drive/sense circuits)１６、プローブ(Gate probes)１７、ローラ状コンタクトプローブ(Roller Contact Probe)１８、およびプローブ制御回路(Probe control Circuits)１９を有している。
【００１８】
テスト装置１０の記憶装置１１には、検査対象となる個々のＴＦＴアレイの良・不良判定に必要な情報や測定に必要な情報が格納されている。計算機１２は、例えばＰＣ等によって構成され、入力されたデータに基づき、記憶装置１１に格納された情報に基づいて判定処理を実行する。測定制御回路１３は、検査法の測定シーケンスを管理している。また、信号生成・信号測定回路１４,１６は、ＡＭＯＬＥＤの駆動信号を生成すると共に、ＴＦＴアレイの測定波形を取得するアナログ回路である。この信号生成・信号測定回路１４,１６に、後述する積分回路が実装される。プローブ１５,１７は、信号生成・信号測定回路１４,１６で生成されたＡＭＯＬＥＤ駆動信号を測定対象であるＴＦＴアレイに供給し、また、ＴＦＴアレイから測定波形を取得する。ローラ状コンタクトプローブ１８は、測定対象であるＴＦＴアレイのパネル表面の画素電極に回動しながら接触する導電性材料で形成される。更に、プローブ制御回路１９は、ローラ状コンタクトプローブ１８の動作を制御すると共に、このローラ状コンタクトプローブ１８に供給される電源電圧を制御している。
【００１９】
本実施の形態では、ローラ状コンタクトプローブ１８をアクティブマトリックスパネルのライン方向に回転させることで、ローラ状コンタクトプローブ１８の接触圧を制御しながら全画素電極を確実に接触させ、連続的に全ての画素が検査できるように構成されている。また、コンタクトプローブをローラ形状にしたことで、画素電極への密着は同時に数ライン分だけとなり、圧力の均一化が容易となる。更に、ローラ状コンタクトプローブ１８を回転しながら接触・剥離を行うので、剥離がし易く、画素電極への負荷を最小限にすることが可能となる。
【００２０】
テスト装置１０では、検査法の測定シーケンスが測定制御回路１３で管理され、ＡＭＯＬＥＤ駆動信号は信号生成・信号測定回路１４,１６で生成されて、プローブ１５,１７を通してＴＦＴアレイに供給される。また、ローラ状コンタクトプローブ１８はプローブ制御回路１９にて管理され、プローブ制御回路１９は測定制御回路１３によって管理されており、測定シーケンスに同期して動作する。ＴＦＴアレイの測定波形は、プローブ１５,１７を通して信号生成・信号測定回路１４,１６に入力されて、もしくはローラ状コンタクトプローブ１８に入力されて観測される。そのために、信号生成・信号測定回路１４,１６またはプローブ制御回路１９に電流測定用の回路が実装される。観測された信号は、測定制御回路１３によりデジタルデータに変換されて計算機１２に入力される。計算機１２では、記憶装置１１に格納された情報を参照しながら、測定データの処理と良・不良判定が行われる。また、必要に応じて、統計的手法による判断に必要なデータの表示出力等を行っている。
【００２１】
図２は、ローラ状コンタクトプローブ１８の構成例を示した図である。ローラ状コンタクトプローブ１８は、測定対象であるＴＦＴアレイ基板の破損を防ぎながら、ＴＦＴアレイ基板の画素電極への接触を行う手段として機能している。そのために、ローラ状コンタクトプローブ１８に対して、加圧機構２１、位置制御機構２２、および図示しない移動機構などの制御機構が備えられている。このような制御機構を用いて、ローラ状コンタクトプローブ１８は、支持台２５上に設けられたＴＦＴアレイ基板の画素電極に接触可能に構成されている。図２に示すような構造を採用せずに、ＴＦＴアレイ全面に導電ゴム等を配置した場合には、広範囲に均一な圧力をかける必要が生じる。また、ＴＦＴアレイ検査後に導電ゴム等を剥離するときに、画素回路表面に垂直方向の引張り力がかかり、画素回路表面を破損する可能性が高い。従って、図２に示すように、ＡＭＯＬＥＤパネルの表面(ＯＬＥＤ接続電極が露出する面)に対して、導電ゴムや導電有機材料など柔らかく導電性のある材質でできたローラ状の電極であるローラ状コンタクトプローブ１８が当接するように構成している。プローブをローラ状にすることで、接触する面積を画素数ライン程度に限ることが可能になり、接触圧制御が容易に行えることから、ローラ状コンタクトプローブ１８と画素電極間の接触抵抗を均一にすることができる。また、ローラ状コンタクトプローブ１８を回転させながらパネル上を移動させることにより、画素回路の検査を連続的に行うことが可能となる。
【００２２】
図２に示す加圧機構２１は、バネなどの弾性力や張力、ねじ込み型、あるいは気体の圧力などの圧力発生装置２１ａを用いて圧力を発生している。また、その圧力を測定するセンサ２１ｂが付加されており、圧力が基準範囲内にあるように圧力発生装置２１ａにフィードバックをかけている。位置制御機構２２は、３軸方向の位置調整と２軸方向の角度調整とからなる。ＡＭＯＬＥＤの画素のサイズは、精細度にもよるが、１：３の長方形であり、短辺が５０μｍから１００μｍ程度である。ローラ状コンタクトプローブ１８の曲率半径を十分に大きくすることで、同時に１０ラインは接触できる。例えば同時に１０ラインを接触できるとすると、角度の許容範囲として±３度は確保できるので、一般的な角度制御装置で十分に対応することが可能である。ローラ面の曲率半径は大きいほうが望ましい。移動機構はローラ状コンタクトプローブ１８および加圧機構２１、位置制御機構２２などを同時に基板上で回転移動させる機構である。ねじ込み型やベアリング式、エアー浮上など、一般に用いられている移動機構を採用することができる。また移動は、ＴＦＴアレイ基板を支持する支持台２５側を移動しても構わない。
【００２３】
ここで、ローラ状コンタクトプローブ１８のローラ面は、滑らかな曲面であっても良いが、望ましくは凹凸面を有することが好ましい。凹凸面があると、基板の撓みによる接触不良を防ぐことができ、確実に画素電極とコンタクトすることができる。
図３(ａ)〜(ｃ)および図４(ａ)〜(ｃ)は、ローラ状コンタクトプローブ１８のローラ面の例を示した図である。
図３(ａ)〜(ｃ)は単独の凹凸形状の例を示しており、その形状は、球面、錐形、何れでも良い。その配列の方法は、図３(ａ)に示す格子配列、図３(ｂ)に示す千鳥配列、図３(ｃ)に示すランダム配列等が考えられる。凹凸の平均距離(ピッチ)は、ＡＭＯＬＥＤの画素電極のピッチよりも小さいことが望ましく、製造精度から、１０μｍ〜１００μｍの範囲であることが望ましい。
図４(ａ)〜(ｃ)は、尾根状突起の例を示している。尾根状の突起をローラ面に形成する方法として、例えば、図４(ａ)に示す直線状配列、図４(ｂ)に示す斜線状配列、あるいは図４(ｃ)に示す曲線状配列がある。図３(ａ)〜(ｃ)および図４(ａ)〜(ｃ)は、同様に展開図なので、これがローラ面に巻きつくように形成される。尾根のピッチは、ＡＭＯＬＥＤの画素電極のピッチよりも小さいことが望ましく、製造精度から、１０μｍ〜１００μｍの範囲であることが望ましい。
【００２４】
次に、電流測定に用いられる回路例について説明する。
図５(ａ)〜(ｄ)は、電流測定に使用可能な回路例を示した図であり、例えば、信号生成・信号測定回路１４,１６またはプローブ制御回路１９に実装される。図５(ａ)はＧＮＤ配線に接続して測定を行う電荷積分回路、図５(ｂ)は電源配線に接続して測定を行う電荷積分回路、図５(ｃ)はＧＮＤ配線に接続して測定を行う電流測定回路、図５(ｄ)は電源配線に接続して測定を行う電流測定回路を示している。
図５(ａ),(ｂ)に示される積分回路は、オペレーショナル・アンプ(Operational Amplifier)３１、キャパシタＣｉ、リセットスイッチＳＷresetが備えられている。尚、積分回路の動きについては、米国特許(ＵＳＰ)第５,１７９,３４５号にも詳しい。図５(ｃ),(ｄ)に示される電流測定回路は、オペレーショナル・アンプ３１の他に、電流モニタ用の微小抵抗Ｒが設けられている。図５(ａ)〜(ｄ)に示す積分回路や電流測定回路からの出力は、図１に示す測定制御回路１３に設けられるＡ/Ｄ変換回路によってデジタルデータに変換され、計算機１２に取り込まれる。
【００２５】
次に、実際の検査方法について説明する。
図６(ａ)〜(ｄ)は、検査対象となる画素回路例を示した図である。図６(ａ)はブロディ(Brody)による２ＴＦＴ構成電圧プログラミング回路を示しており、現在、主流の構成である。図６(ｂ)はドーソン(Dawson)によるＶth補正機能付き４ＴＦＴ構成電圧プログラミング回路を示している。また、図６(ｃ)はドーソン(Dawson)によるＶth補正機能付き４ＴＦＴ構成電流プログラミング回路を示し、図６(ｄ)は、カレントミラー方式４ＴＦＴ構成電流プログラミング回路を示している。各画素回路とも、駆動ＴＦＴの種類として、ｎチャンネルとｐチャンネルの両者の構成があり得る。図６(ａ)〜(ｄ)に示す各種画素回路では、各々、Ｔ２(ｎ)またはＴ２(ｐ)で示す駆動ＴＦＴが用いられ、画素電極が接続されている。
【００２６】
この画素電極は、駆動用のＴＦＴにおけるドレインあるいはソースと接続されている。ＯＬＥＤを成膜すると、この画素電極の対向に陽極あるいは陰極が配置され、駆動ＴＦＴはＯＬＥＤに電流を流すことが可能となる。ローラ状コンタクトプローブ１８を画素電極に接触させることで、このＯＬＥＤを挟んで対向配置される電極の代替にローラ状コンタクトプローブ１８を用いることができる。図６(ａ)の場合、ローラ状コンタクトプローブ１８は電源として働くように電気的に制御される。図６(ｂ)〜(ｄ)の場合には、ローラ状コンタクトプローブ１８はＧＮＤとして働くように電気的に制御される。
【００２７】
図６(ａ)に示す画素回路を例に、本実施の形態における駆動ＴＦＴの電気特性検査について説明する。
図７は、ローラ状コンタクトプローブ１８で画素電極に接触がとられ、電源(Ｖdd)が供給された状態を示した図である。ローラ状コンタクトプローブ１８が接触しているラインについてセレクト線(Select)を駆動し、画素選択ＴＦＴ(Ｔ１)をオンにする。この状態でデータ線(Data)にビデオ電圧を印加することにより、駆動ＴＦＴ(Ｔ２)のゲート・ソース間電圧(Ｖgs)が設定される。駆動ＴＦＴ(Ｔ２)のドレイン電極には画素選択ＴＦＴ(Ｔ１)で電源(Ｖdd)が供給されるため、駆動ＴＦＴ(Ｔ２)のドレイン・ソース間電圧(Ｖds)が確定する。このとき、ローラ状コンタクトプローブ１８、あるいはＴＦＴアレイ上のＧＮＤ配線に、電流を計測できる回路(例えば、図５(ａ)〜(ｄ)に示す積分回路や電流測定回路)を接続すれば、駆動ＴＦＴ(Ｔ２)のドレイン・ソース間電流(Ｉd)を測定することができる。
【００２８】
図８は、複数のゲート・ソース間電圧(Ｖgs)についてドレイン・ソース間電流(Ｉd)を測定することにより、求められたＶgs−Ｉd曲線(特性カーブ)を示した図である。横軸にゲート・ソース間電圧(Ｖgs)をとり、縦軸にドレイン・ソース間電流(Ｉd)をとっている図６(ｂ)〜(ｄ)に示す画素回路でも同様に測定が可能であり、図８では、Ｖth補正機能付きの画素回路の測定結果も合わせて示されている。
【００２９】
図９は、図８のようにして求められたＶgs−Ｉd曲線に対し、縦軸にＩdの平方根をとって特定カーブを示した図である。ドレイン・ソース間電流(Ｉd)の平方根をとることにより、図９に示すような曲線が得られ、駆動ＴＦＴのＶthとβとを容易に求めることができる。即ち、特性の直線部分がＩd＝０と交差するゲート・ソース間電圧(Ｖgs)がＶthとなり、特性の直線部分の傾きが(０.５)１/２となる。検査では、各画素の駆動ＴＦＴについてＶthとβとを求めることにより、駆動ＴＦＴにおける電気特性のばらつきや良・不良判定を行うことが可能となる。
【００３０】
図１０は、本実施の形態が適用される検査の流れを示したフローチャートである。
まず、検査に際して、電流測定用の回路が接続されたローラ状コンタクトプローブ１８を、測定対象となるパネルの測定開始ライン近傍に配置する(ステップ１０１)。その後、ローラ状コンタクトプローブ１８の移動する(ステップ１０２)。このローラ状コンタクトプローブ１８の移動速度は、セレクト線のスキャン速度に比べ小さく設定される。このとき、セレクト線ドライバ回路にスタートパルスを入力して、セレクト線がスキャンされる(ステップ１０３)。このスタートパルスは、ローラ状コンタクトプローブ１８が同時に接触するライン数を超える間隔で入力される。また、このセレクト線スキャンに同期して、データ線に測定電圧が印加される(ステップ１０４)。
【００３１】
ローラ状コンタクトプローブ１８が測定開始ラインに接触した後、全ての画素回路についての測定が終了するまで、電流測定が実行される。即ち、検査装置である例えば測定制御回路１３は、図５(ａ)〜(ｄ)に示すような測定電流用の回路を利用して、測定電流の観測が実行される(ステップ１０５)。検査装置である例えば測定制御回路１３は、各画素回路の測定電流値を記憶すると共に、各画素回路で電流測定が行われた回数をカウントし、測定回数のマップ化(後述)がなされる(ステップ１０６)。そして、作成される測定回数マップから、各画素回路について複数回の電流測定の状態が把握される(ステップ１０７)。測定制御回路１３は、全ての画素回路について、複数回の電流測定が完了しているか否かを判断する(ステップ１０８)。全てが終了していない場合には、ステップ１０２に戻り、ローラ状コンタクトプローブ１８を移動させながら、セレクト線ドライバ回路にスタートパルスを入力する操作を繰り返す。ステップ１０８で、全ラインの測定が完了した場合には、測定が終了する。尚、以上の検査の流れでは、セレクト線ドライバ回路(信号生成・信号測定回路１４,１６)は一般的にシフトレジスタにより構成されるため、複数のスタートパルス入力を行っても問題ないこと、および、パネル(ＴＦＴアレイ基板)上の複数のセレクト線が駆動されていても、ローラ状コンタクトプローブ１８が接触している画素回路でのみ電流が流れることを利用している。
【００３２】
次に、接触不具合の検出について説明する。
図１１は、ローラ状コンタクトプローブ１８が画素電極に正しく接触できている状態を示した図である。ローラ状コンタクトプローブ１８で多数画素電極に同時に接触を行う場合に、図１１に示すように、検査対象ラインの全ての画素電極に接触がとれる状態が理想的である。図１１に示す例では、画素電極が並ぶラインに対してローラ状コンタクトプローブ１８が平行に配置され、また、ローラ状コンタクトプローブ１８の接触面に破損等がない場合を示している。尚、ここでは説明を簡素化するために、カラムは０〜２９，ラインは０〜５としている。
【００３３】
図１２(ａ)〜(ｇ)は、図１１に示す場合におけるローラ状コンタクトプローブ１８の移動と検査の流れを説明するための図である。(ａ)〜(ｇ)の各図において、左側の図は、ローラ状コンタクトプローブ１８の接触領域を示している。ここでは、縦方向にライン(０〜５)、横方向にカラム(０〜１４)が示されている。中央の図は、パネルとローラ状コンタクトプローブ１８とを横から眺めた状態を示している。右側の図表は、例えば、測定制御回路１３によって生成される測定回数マップの例を示しており、図表の横方向はカラム番号、縦方向はライン番号を示している。この測定回数マップには、各画素回路で電流測定が行なわれた回数が示されている。図１２(ａ)〜(ｇ)では、ローラ状コンタクトプローブ１８は、同時に２ライン分、接触できる場合を示している。
【００３４】
図１２(ａ)では、ライン０の測定電流が観測され、ライン１では測定電流が観測されない状態を示している。かかる状態は、ローラ状コンタクトプローブ１８が測定開始ライン上に配置されたことを意味している。ローラ状コンタクトプローブ１８を移動させながら、セレクト線ドライバ回路にスタートパルスを入力する。図１２(ｂ)に示すようにライン０の２回目の測定、ライン１の１回目の測定が完了する。更にローラ状コンタクトプローブ１８を移動させながらセレクト線ドライバ回路にスタートパルスを入力する操作を繰り返す。図１２(ｃ)では、ライン１の２回目の測定、ライン２の１回目の測定が完了した状態、図１２(ｄ)では、ライン２の２回目の測定、ライン３の１回目の測定が完了した状態、図１２(ｅ)では、ライン３の２回目の測定、ライン４の１回目の測定が完了した状態、図１２(ｆ)では、ライン４の２回目の測定、ライン５の１回目の測定が完了した状態が示されている。そして、図１２(ｇ)に示すようにライン５の２回目の測定が完了することで、全ラインの測定が完了する。この全ラインの測定が完了したときに、測定値が好ましい値でない画素が存在する場合には、その画素が異常であると判断することができる。
【００３５】
尚、図１２(ａ)〜(ｇ)の各々の右図に示すような表(マップ)は、例えば、図１に示すテスト装置１０の計算機１２に設けられるディスプレイ(図示せず)等に表示される。また、表示される際に異常があった場合には、異常箇所だけを強調表示するように構成すれば、検査担当者が容易に判断することが可能となる。
【００３６】
図１３は、ローラ状コンタクトプローブ１８の接触面の一部に破損部１８ａがあり、破損部１８ａで画素電極と正しく接触できていない例を示した図である。図１３では、図１１等と同様、横軸にカラム、縦軸にラインが示されており、２ライン目にローラ状コンタクトプローブ１８が移動している状態が示されている。図１３に示す例では、ライン２のカラム５,６が正しく接触できていない。正しく接触できていない場合には、画素回路検査を行うと駆動ＴＦＴに電流が流れないため、検査装置によって画素回路不良とみなされてしまう。本実施の形態では、かかる場合であっても、接触不具合が発生していることを検査装置が検知できることに特徴がある。
【００３７】
図１４(ａ)〜(ｇ)は、図１３に示すような場合におけるローラ状コンタクトプローブ１８の移動と検査の流れを説明するための図である。各図の配置等は、図１２と同様であり、説明を省略する。上述した検査の流れに従って処理を進めると、図１３に示すようなローラ状コンタクトプローブ１８の破損部１８ａによって、図１４(ａ)に示す例では、ライン０(第０列)のカラム１とカラム２が正しく接触できていない。そのために、図１４(ａ)に示すように、ライン０(第０列)のカラム１とライン０のカラム２が正しく測定できない。図１４(ｂ)に示す位置にローラ状コンタクトプローブ１８が移動し、ライン０に測定回数２回が記憶された場合であっても、ライン０のカラム１とライン０のカラム２は「０」となったままである。同様に、図１４(ｅ)および図１４(ｆ)に示すように、破損部１８ａによって、ライン４のカラム１、ライン４カラム２は、正しく測定できない箇所が生じる。このように、ローラ状コンタクトプローブ１８に破損箇所が存在すると、測定回数マップ上に、ローラ径に応じた周期的な不具合箇所が検出できる。即ち、図１４(ｇ)に示すように、ローラ状コンタクトプローブ１８の回転方向にローラの外周長の周期となる位置に不具合箇所が検出される場合には、ローラ状コンタクトプローブ１８に異常があると認識でき、画素回路の故障による測定不良と区別することができる。尚、この異常検出は、検査者がディスプレイ等に表示された表を見て判断することが簡単であるが、例えば図１に示す計算機１２によって異常状態の周期性を自動的に認識し、異常の原因を表示出力するように構成することも可能である。
【００３８】
図１５は、ローラ状コンタクトプローブ１８に対して被測定対象物であるＴＦＴアレイ基板が斜めに配置された場合を示している。ローラ状コンタクトプローブ１８とＴＦＴアレイ基板との設置角度ずれによって、図１５に示す例では、ライン２のカラム２７〜２９がローラ状コンタクトプローブ１８に接触できていない。また、ライン２のカラム１９〜２６も接触できていない可能性がある。
【００３９】
図１６(ａ)〜(ｇ)は、図１５に示す場合におけるローラ状コンタクトプローブ１８の移動と検査の流れを説明するための図である。各図の配置等は、図１２と同様であり、説明を省略する。上述した検査の流れに従って処理を進めると、設置角度ずれによって、例えば図１６(ａ)では、ライン０のカラム１０〜１４だけが正しく接触ができており、測定回数マップでもその部分だけに出力が出ている様子が観察できる。図１６(ｂ)では、ライン０のカラム９〜１４に２回の測定が観測でき、ライン０のカラム０〜８、ライン１のカラム９〜１４に１回の測定が観測できている。図１６(ｃ)では、ライン０の全ての画素と、ライン１のカラム９〜１４に２回の測定が観測でき、ライン１のカラム０〜８、ライン２のカラム９〜１４に１回の測定が観測できている。同様に、図１６(ｄ)では、ライン０と１の全ての画素と、ライン２のカラム９〜１４に２回の測定が観測でき、ライン２のカラム０〜８、ライン３のカラム９〜１４に１回の測定が観測できている。図１６(ｅ)〜(ｇ)も同様にラインがずれて観測される。最後に、ローラ状コンタクトプローブ１８とＴＦＴアレイ基板とが図１６(ｈ)に示すような状態になったときに、測定回数マップには、全て２回ずつの測定が行なわれたことが記憶されている。即ち、ローラ状コンタクトプローブ１８とＴＦＴアレイ基板との設置角度ずれがあったとしても、ローラ状コンタクトプローブ１８がＴＦＴアレイ基板の斜め方向を全て覆うことのできる長さがあれば、測定には支障がないことが理解できる。このように、本実施の形態によれば、これらの設置角度調整のための精密な制御が不要となる。
【００４０】
次に、測定対象となるＴＦＴアレイ基板の一例と、各画素を検査するための駆動波形について説明する。
図１７は、基本的な２ＴＦＴ構成の画素回路を配列した図である。後工程でＯＬＥＤが形成されるべき画素電極４１には、ローラ状コンタクトプローブ１８が接触し、電源として作用する。図１７に示す例では、電流測定はローラ状コンタクトプローブ１８で行われる。図１７では、Select1〜Select3の３つのセレクト線４２と、Data1〜Data3の３つのデータ線４３が示されている。ここでは、ライン１(Line1)からライン３(Line3)方向にローラ状コンタクトプローブ１８が移動する場合について説明する。
【００４１】
図１８は、図１７の配列に対して各画素を検査するための駆動波形を示した図である。図の「ＲＣＰ Position」は、ローラ状コンタクトプローブ１８が接触している画素電極４１の位置(ライン)を示す。図１７に示すＴＦＴアレイ基板にローラ状コンタクトプローブ１８が装着された状態で、ローラ状コンタクトプローブ１８は、ライン１からライン３方向に、ラインのスキャンに同期して回転しながら移動する。ローラ状コンタクトプローブ１８は、セレクト線４２によるスキャン速度の３分の１の速度で移動している。シーケンス００〜１２は、ライン１にのみ接触がとれている状態にある。また、シーケンス１３〜２４は、ライン１とライン２とに接触がとれている状態が示されている。更に、シーケンス２５〜３６は、ライン２とライン３とに接触がとれている状態が示されている。ローラ状コンタクトプローブ１８がライン１に位置するときに、シーケンス０１〜０３で、データ線４３のData1〜Data3をアクティブにすることにより、ライン１のカラム１，２，３に対して１回目測定が行われ、シーケンス１３〜１５で、ライン１のカラム１，２，３の２回目測定が行われる。ローラ状コンタクトプローブ１８がライン２に位置するときに、シーケンス１７〜１９で、ライン２のカラム１，２，３の１回目測定が行われ、シーケンス２９〜３１で、ライン２のカラム１，２，３の２回目測定が行われる。以下、同様に各ラインの画素回路の検査が行われる。以上のようにして、図１２などに示したように、各カラムに対して２回ずつの測定を可能としている。
【００４２】
図１９は、他の実施形態として、２つのローラ状コンタクトプローブ１８が設けられ、この２つのローラ状コンタクトプローブ１８と共に、被検査対象の基板であるＴＦＴアレイ基板を挟み込む対向ローラ５１が設けられている。また、２つのローラ状コンタクトプローブ１８と２つの対向ローラ５１との間には、各々、ローラをクリーニングするためのクリーニングローラ５２が連結動作している。更に、ＴＦＴアレイ基板の搬送方向上流側に、パネル表面をクリーニングするためのパネルクリーニングローラ５３が設けられている。図１９に示す例では、２つのパネルクリーニングローラ５３、ローラ状コンタクトプローブ１８と対向ローラ５１とによって、ＴＦＴアレイ基板を挟みながら回転移動させている。前述した実施形態では、ＴＦＴアレイ基板とローラ状コンタクトプローブ１８とが相対的に移動しているが、その移動の方式としては、ＴＦＴアレイ基板上をローラ状コンタクトプローブ１８が移動する形態の他、ＴＦＴアレイ基板が移動する形態がある。図１９では、ＴＦＴアレイ基板が移動する状態が矢印で示されている。図１９に示す例では、ＴＦＴアレイ基板の支持と加圧を同時に行っている。図１９に示すように、複数のローラ状コンタクトプローブ１８を同時に設置することで、並行して検査をすることが可能となる。
【００４３】
最後に、ＯＬＥＤパネルの製造工程について説明する。
図２０は、本実施の形態が適用されるＯＬＥＤパネルの製造工程を説明するための図である。本実施の形態が適用されるＯＬＥＤパネルの製造方法は、ＯＬＥＤの駆動回路であるＴＦＴアレイが形成されたアクティブマトリックスパネルを生成するアレイ工程１と、生成されたアクティブマトリックスパネル単体で機能テストを行う検査工程２を有している。この検査工程２では、前述した検査装置や検査方法によって、配線のオープン/ショートが所定条件以下であり、またＴＦＴの特性がパネル全体で均一であること等の検査が行われる。この検査工程２で不良品であると判断されるアクティブマトリックスパネルは、次工程に移行させずに排除される。良品であると判断されるアクティブマトリックスパネルについては、ＴＦＴアレイ上にＯＬＥＤを形成するセル工程３を経て、最終検査工程４に移行する。この最終検査工程４によって、最後に、良品と不良品とが振り分けられる。本実施の形態では、セル工程３の前に検査工程２を設けることで、ＯＬＥＤを載せる前に、駆動ＴＦＴのばらつきの大きいアクティブマトリックスパネルを排除することが可能となる。検査対象としては、例えばＰＨＳや携帯電話などの表示画面に用いられるアクティブマトリックス(ＡＭ)パネルの他、各種ＡＭＯＬＥＤパネルが挙げられる。
【００４４】
以上、詳述したように、本実施の形態によれば、ＯＬＥＤ未実装のＴＦＴアレイに対して、接触による負荷を最小限にし、かつ均一な圧力をかけながら効率的にＴＦＴアレイを検査することが可能となる。ローラ状コンタクトプローブ１８から直接電流が流せるため、画素回路内の駆動ＴＦＴに関する特性検査(しきい値電圧Ｖth、特性パラメータβ、画素容量値、あるいはリーク検査)が確実に行える。このような特性検査をパネルの全画素について行うことにより、パネル内におけるばらつきを求めることができ、この結果を使用してパネルの良・不良判定をおこなうことが可能になる。これにより、不良アクティブマトリックスパネルの次工程への流出量を大幅に削減でき、パネル製作コストの削減が行える。また、パネル開発段階では、本テスト装置を故障診断として利用することにより、開発期間の短縮が期待できる。
【００４５】
更に、本実施の形態によれば、測定回数マップを作成しながら測定を行うため、測定を通してローラ状コンタクトプローブ１８の接触位置を検出できる。これにより、ローラ状コンタクトプローブ１８の位置制御装置を簡略化することができるとともに、接触不具合の発生した画素位置を検出できる。また、この測定回数マップの利用によって統計的にデータをとることによって、測定結果として好ましくない結果が得られた場合に、その原因が画素電極そのものにあるのか、またはプローブに影響があるのか、を認識することが可能となる。プローブに影響がある場合には、プローブの清掃や修理、交換等によって、正常な検査を行うことが容易となる。また更に、画素領域全面に導電ゴムを配置して測定を行う場合には、セレクト線４２は常に１本のみ駆動されなければならない。これは、同時に複数のセレクト線４２が駆動された場合、複数の画素からの電流を測ることになるためである。本実施の形態によれば、ローラ状コンタクトプローブ１８により、同時に接触をとるのは数ライン程度であり、この領域内で駆動されるセレクト線が１本であればよい。従って、セレクト線ドライバ回路のシフトレジスタがウォッシュ・アウトされる時間を待つ必要がないことから、測定時間の短縮化を図ることもできる。
【００４６】
尚、本実施の形態では、回転体プローブとして、円筒形状のローラ状コンタクトプローブ１８を用いていたが、球体などの他の回転体からなるプローブを用いることができる。球体からなる回転体プローブを用いた場合には、例えば、湾曲しているようなフィルム状の表示装置に対しても、画素電極に接触させて測定することが容易になる点で好ましい。
【産業上の利用可能性】
【００４７】
本発明の活用例としては、ＥＬ素子を実装するためのアクティブマトリックスパネルの検査装置、検査方法、およびＥＬ素子が実装された表示パネルへの適用等が考えられる。
【図面の簡単な説明】
【００４８】
【図１】本実施の形態が適用されるアクティブマトリックスパネル(ＴＦＴアレイ基板)の検査装置としてのテスト装置の構成を説明するための図である。
【図２】ローラ状コンタクトプローブの構成例を示した図である。
【図３】(ａ)〜(ｃ)は、ローラ状コンタクトプローブのローラ面の例を示した図である。
【図４】(ａ)〜(ｃ)は、ローラ状コンタクトプローブのローラ面の例を示した図である。
【図５】(ａ)〜(ｄ)は、電流測定に使用可能な回路例を示した図である。
【図６】(ａ)〜(ｄ)は、検査対象となる画素回路例を示した図である。
【図７】ローラ状コンタクトプローブで画素電極に接触がとられ、電源(Ｖdd)が供給された状態を示した図である。
【図８】複数のゲート・ソース間電圧(Ｖgs)についてドレイン・ソース間電流(Ｉd)を測定することにより、求められたＶgs−Ｉd曲線(特性カーブ)を示した図である。
【図９】図８のようにして求められたＶgs−Ｉd曲線に対し、縦軸にＩdの平方根をとって特定カーブを示した図である。
【図１０】本実施の形態が適用される検査の流れを示したフローチャートである。
【図１１】ローラ状コンタクトプローブが画素電極に正しく接触できている状態を示した図である。
【図１２−１】(ａ)〜(ｃ)は、図１１に示す場合におけるローラ状コンタクトプローブの移動と検査の流れを説明するための図である。
【図１２−２】(ｄ)〜(ｆ)は、図１１に示す場合におけるローラ状コンタクトプローブの移動と検査の流れを説明するための図である。
【図１２−３】(ｇ)は、図１１に示す場合におけるローラ状コンタクトプローブの移動と検査の流れを説明するための図である。
【図１３】ローラ状コンタクトプローブの接触面の一部に破損部があり、破損部で画素電極と正しく接触できていない例を示した図である。
【図１４−１】(ａ)〜(ｃ)は、図１３に示すような場合におけるローラ状コンタクトプローブの移動と検査の流れを説明するための図である。
【図１４−２】(ｄ)〜(ｆ)は、図１３に示すような場合におけるローラ状コンタクトプローブの移動と検査の流れを説明するための図である。
【図１４−３】(ｇ)は、図１３に示すような場合におけるローラ状コンタクトプローブの移動と検査の流れを説明するための図である。
【図１５】ローラ状コンタクトプローブに対して被測定対象物であるＴＦＴアレイ基板が斜めに配置された場合を示している。
【図１６−１】(ａ)〜(ｃ)は、図１５に示す場合におけるローラ状コンタクトプローブの移動と検査の流れを説明するための図である。
【図１６−２】(ｄ)〜(ｆ)は、図１５に示す場合におけるローラ状コンタクトプローブの移動と検査の流れを説明するための図である。
【図１６−３】(ｇ)、(ｈ)は、図１５に示す場合におけるローラ状コンタクトプローブの移動と検査の流れを説明するための図である。
【図１７】基本的な２ＴＦＴ構成の画素回路を配列した図である。
【図１８】図１７の配列に対して各画素を検査するための駆動波形を示した図である。
【図１９】他の実施形態の一例を示した図である。
【図２０】本実施の形態が適用されるＯＬＥＤパネルの製造工程を説明するための図である。
【図２１】(ａ),(ｂ)は、ＡＭＯＬＥＤとＡＭＬＣＤとの画素回路を比較説明するための図である。
【符号の説明】
【００４９】
１…アレイ工程、２…検査工程、３…セル工程、４…最終検査工程、１０…テスト装置、１１…記憶装置(Data Base)、１２…計算機(PC)、１３…測定制御回路(Control Circuits)、１４…信号生成・信号測定回路(Drive/sense circuits)、１５…プローブ(Data probes)、１６…信号生成・信号測定回路(Drive/sense circuits)、１７…プローブ(Gate probes)、１８…ローラ状コンタクトプローブ(Roller Contact Probe)、１９…プローブ制御回路(Probe control Circuits)、２１…加圧機構、２２…位置制御機構、２５…支持台
【図１】
2005134421.tif 000003
【図２】
2005134421.tif 000004
【図３】
2005134421.tif 000005
【図４】
2005134421.tif 000006
【図５】
2005134421.tif 000007
【図６】
2005134421.tif 000008
【図７】
2005134421.tif 000009
【図８】
2005134421.tif 000010
【図９】
2005134421.tif 000011
【図１０】
2005134421.tif 000012
【図１１】
2005134421.tif 000013
【図１２−１】
2005134421.tif 000014
【図１２−２】
2005134421.tif 000015
【図１２−３】
2005134421.tif 000016
【図１３】
2005134421.tif 000017
【図１４−１】
2005134421.tif 000018
【図１４−２】
2005134421.tif 000019
【図１４−３】
2005134421.tif 000020
【図１５】
2005134421.tif 000021
【図１６−１】
2005134421.tif 000022
【図１６−２】
2005134421.tif 000023
【図１６−３】
2005134421.tif 000024
【図１７】
2005134421.tif 000025
【図１８】
2005134421.tif 000026
【図１９】
2005134421.tif 000027
【図２０】
2005134421.tif 000028
【図２１】
2005134421.tif 000029